(57)【要約】【課題】キーワード提供範囲に基づいてキーワードを提供する方法およびそのシステムを提供する。【解決手段】ユーザからクエリの入力を受ける段階と、ユーザからクエリに対するキーワード提供範囲の設定を受ける段階と、設定されたキーワード提供範囲に基づいて、クエリに対する代表キーワードまたはテールキーワードを提供する段階とを含むキーワード提供方法を提供する。【選択図】図５
2008276769.tif 000002
【特許請求の範囲】
【請求項１】
キーワード提供方法において、
ユーザからクエリの入力を受ける段階と、
前記ユーザから、クエリに対するキーワード提供範囲の設定を受ける段階と、
前記キーワード提供範囲に基づいて、前記クエリに対する代表キーワードまたはテールキーワードを提供する段階と、
を含むことを特徴とするキーワード提供方法。
【請求項２】
ユーザからクエリに対するキーワード提供範囲の設定を受ける前記段階は、
前記ユーザから代表キーワードまたはテールキーワードを提供するためのキーワード提供範囲を調節するためのオプションを用いて、前記クエリに対するキーワード提供範囲の設定を受けることを特徴とする請求項１に記載のキーワード提供方法。
【請求項３】
ユーザのクエリパターンを分析する段階と、
前記ユーザのクエリパターンの分析結果に基づいて、代表キーワードまたはテールキーワードを選定する段階と、
をさらに含むことを特徴とする請求項１に記載のキーワード提供方法。
【請求項４】
ユーザのクエリパターンを分析する前記段階は、
前記ユーザが固定ＩＰユーザである場合に、前記固定ＩＰに対するクエリパターンを分析することを特徴とする請求項３に記載のキーワード提供方法。
【請求項５】
ユーザのクエリパターンを分析する前記段階は、
前記ユーザがログインユーザである場合に、前記ログインユーザに対するクエリパターンを分析することを特徴とする請求項３に記載のキーワード提供方法。
【請求項６】
ユーザからクエリに対するキーワード提供範囲の設定を受ける前記段階は、
前記ユーザからキーワード提供範囲を調整するための調整バーに対する操作入力を受けて、前記クエリに対するキーワード提供範囲の設定を受けることを特徴とする請求項１に記載のキーワード提供方法。
【請求項７】
ユーザからクエリに対するキーワード提供範囲の設定を受ける前記段階は、
前記ユーザによって、テールキーワードまたは代表キーワードを選択するためのキーワード提供範囲を調整するための調整バーがテールキーワード側に移動するように操作される場合に、前記クエリに対するテールキーワードが提供されるように前記キーワード提供範囲の設定を受けることを特徴とする請求項１に記載のキーワード提供方法。
【請求項８】
請求項１ないし７のいずれか一項に記載のキーワード提供方法をコンピュータに実行させるためのプログラムを記録したコンピュータ読み取り可能な記録媒体。
【請求項９】
ユーザから、クエリや前記クエリに対するキーワード提供範囲の入力を受け付ける入力部と、
前記クエリに対するキーワード提供範囲を設定する設定部と、
前記キーワード提供範囲に基づいて、前記クエリに対する代表キーワードまたはテールキーワードを提供する提供部と、
を含むことを特徴とするキーワード提供システム。
【請求項１０】
前記設定部は、
代表キーワードまたはテールキーワードを提供するためのキーワード提供範囲を調節するための前記ユーザによるオプション設定に基づいて、前記クエリに対するキーワード提供範囲を設定することを特徴とする請求項９に記載のキーワード提供システム。
【請求項１１】
ユーザのクエリパターンを分析するパターン分析部と、
前記ユーザのクエリパターンを分析結果に基づいて、前記代表キーワードまたは前記テールキーワードを選定する選定部と、
をさらに含むことを特徴とする請求項９に記載のキーワード提供システム。
【請求項１２】
前記パターン分析部は、
前記ユーザが固定ＩＰユーザである場合に、前記固定ＩＰに対するクエリパターンを分析することを特徴とする請求項１１に記載のキーワード提供システム。
【請求項１３】
前記パターン分析部は、
前記ユーザがログインユーザである場合に、前記ログインユーザに対するクエリパターンを分析することを特徴とする請求項１１に記載のキーワード提供システム。
【請求項１４】
前記入力部は、
前記ユーザから、代表キーワードまたはテールキーワードを選択するためのキーワード提供範囲を調整するための調整バーの操作入力を受け、
前記設定部は、
前記調整バーの操作入力に基づいて、前記クエリに対するキーワード提供範囲を設定することを特徴とする請求項９に記載のキーワード提供システム。
【請求項１５】
前記入力部は、
前記ユーザによって、テールキーワードまたは代表キーワードを選択するためのキーワード提供範囲を調整するための調整バーがテールキーワード側に移動するように操作入力を受け、
前記設定部は、
前記調整バーの操作入力に基づいて、前記クエリに対するテールキーワードが提供されるように前記キーワード提供範囲を設定することを特徴とする請求項９に記載のキーワード提供システム。
【発明の詳細な説明】
【技術分野】
【０００１】
本発明は、キーワード提供範囲に基づいてキーワードを提供する方法およびそのシステムに関し、より詳細には、ユーザからのクエリに対するキーワード提供範囲の設定に基づいて、ユーザによって入力されたクエリに対する代表キーワードまたはテールキーワードを提供する方法およびそのシステムに関する。
【背景技術】
【０００２】
従来のキーワード提供方法の一例として、キーワードが正確にマッチングされた場合にだけ、キーワードが提供されるという方式がある。この方式では、正確にマッチングされるキーワードがない場合には、キーワードを提供することができないため、ユーザが所望するキーワードを提供することができないという問題点がある。
【０００３】
また、このような従来のキーワード提供方法には、マッチングするキーワードがなければ、これによるマッチング広告も実行されないという問題点もある。
【０００４】
さらに、従来のキーワード提供方法では、単に、入力されたクエリと一致するキーワードに対する検索結果のみを提供するため、キーワード検索結果が限定されるという問題点があり、これによって提供される広告も限定されるという問題点がある。
【０００５】
一方、従来のキーワード提供方法では、ユーザが広範囲なクエリを入力すれば、これよる結果が極めて多く出現するため、実際にユーザが所望するキーワードを提供するためには、キーワードの範囲を狭める必要性がある。
【０００６】
これにより、従来のキーワード提供方法では、ユーザが広範囲なクエリを入力した後に、自分が所望するキーワード検索結果が出現しない場合には、他のクエリを再入力しながら検索範囲を狭めなければならない煩わしさがある。
【０００７】
したがって、ユーザがより多様なキーワードの提供を受けるために、キーワード提供範囲を調節することができる方法が切に求められている。
【発明の開示】
【発明が解決しようとする課題】
【０００８】
本発明は、前記のような問題点を解決するために案出されたものであって、ユーザによるクエリに対するキーワード提供範囲の設定に基づいて、ユーザによって入力されたクエリに対する代表キーワードまたはテールキーワードをユーザに提供することができるキーワード提供方法およびそのシステムを提供することを目的とする。
【０００９】
また、本発明は、ユーザから入力されたクエリパターンを分析し、特定のキーワードに対する代表キーワードまたはテールキーワードを選択することができるオプションの設定に基づいて、ユーザによって入力されたクエリに対する代表キーワードまたはテールキーワードをユーザに提供することができるキーワード提供方法およびそのシステムを提供することを他の目的とする。
【００１０】
また、本発明は、ユーザによって、代表キーワードまたはテールキーワードを提供することができるキーワード提供範囲が代表キーワードを提供する範囲として設定されれば、ユーザによって入力されたクエリに対する代表キーワードをユーザに提供することができるキーワード提供方法およびそのシステムを提供することを他の目的とする。
【００１１】
さらに、本発明は、ユーザによって、代表キーワードまたはテールキーワードを提供することができるキーワード提供範囲がテールキーワードを提供する範囲として設定されれば、ユーザによって入力されたクエリに対するテールキーワードをユーザに提供することができるキーワード提供方法およびそのシステムを提供することをさらに他の目的とする。
【課題を解決するための手段】
【００１２】
前記の目的を達成し、上述した従来技術の問題点を解決するために、本発明の一実施形態に係るキーワード提供方法は、ユーザからクエリの入力を受ける段階と、前記ユーザからクエリに対するキーワード提供範囲の設定を受ける段階と、前記キーワード提供範囲に基づいて、前記クエリに対する代表キーワードまたはテールキーワードを提供する段階とを含む。
【００１３】
本発明の他の実施形態に係るキーワード提供システムは、ユーザからクエリの入力を受けたり、前記クエリに対するキーワード提供範囲の入力を受けたりする入力部と、前記クエリに対するキーワード提供範囲を設定する設定部と、前記キーワード提供範囲に基づいて、前記クエリに対する代表キーワードまたはテールキーワードを提供する提供部とを含む。
【発明の効果】
【００１４】
本発明によれば、ユーザから入力されたクエリに対するキーワード提供範囲の設定に基づいて、代表キーワードまたはテールキーワードをユーザに提供する方法およびそのシステムを提供することができる。
【００１５】
また、本発明によれば、ユーザから入力されたクエリパターンを分析し、特定のキーワードに対する代表キーワードまたはテールキーワードを選択することができるオプション設定に基づいて、ユーザによって入力されたクエリに対する代表キーワードまたはテールキーワードをユーザに提供する方法およびそのシステムを提供することができる。
【００１６】
また、本発明によれば、ユーザによって、代表キーワードまたはテールキーワードを提供することができるキーワード提供範囲が代表キーワードを提供するための範囲として設定されれば、ユーザによって入力されたクエリに対する代表キーワードをユーザに提供する方法およびそのシステムを提供することができる。
【００１７】
さらに、本発明によれば、ユーザによって、代表キーワードまたはテールキーワードを提供することができるキーワード提供範囲がテールキーワードを提供する範囲として設定されれば、ユーザによって入力されたクエリに対するテールキーワードをユーザに提供するキーワード提供方法およびそのシステムを提供することができる。
【発明を実施するための最良の形態】
【００１８】
以下、添付の図面を参照しながら、本発明に係るキーワード提供システムおよびその方法について詳細に説明する。
【００１９】
図１は、本発明に係るキーワード提供システムとユーザ端末機との連動関係を示した図である。
【００２０】
図１を参照すれば、キーワード提供システム２００は、インターネット、ＷＡＮ、ＬＡＮ等の通信網１２０を介して接続されたユーザ端末機１３０から、ユーザによって入力されたクエリを受信する。ユーザによるクエリ入力は、例えば、ユーザ端末機１３０に備わっている不図示のキーボードやタッチパネルディスプレイ等を介して行われる。キーワード提供システム２００は、ユーザによって入力されたクエリに対するパターンを分析し、その結果によって特定のクエリが入力された後に追加で入力されるクエリを用いて、代表キーワードまたはテールキーワードを選定する。ここで、代表キーワードとは、一般的に多く用いられるキーワードであり、テールキーワード（ｔａｉｌ  ｋｅｙｗｏｒｄ）とは、代表キーワードにさらに付加されたキーワードである。一例として、代表キーワードが「ナイキ」（登録商標）である場合に、テールキーワードには、「ナイキ運動靴、ナイキショップ、ナイキ衣類」などが含まれるようになる。
【００２１】
キーワード提供システム２００は、キーワード推薦ロジックに基づき、ユーザによって入力されたクエリが代表キーワードである場合に、代表キーワードと連関したサブキーワードを提供することができる。キーワード提供システム２００は、ユーザ端末機１３０から、特定のキーワードに対するテールキーワードが設定されるようにするキーワード提供範囲の調節をユーザによって受け、特定のキーワードに対するキーワード提供範囲を設定する。
【００２２】
ユーザからクエリの入力を受ければ、キーワード提供システム２００は、キーワード検索結果として代表キーワードまたはテールキーワードを選択するオプションをユーザ端末機１３０に提供する。ユーザ端末機１３０は、ユーザから代表キーワードまたはテールキーワードを選択するためのオプションとして、図３または図４に示されたような調整バー３１５、４１５に対する操作入力に基づいて、キーワード提供範囲を調節される。
【００２３】
キーワード提供システム２００は、キーワード提供範囲に基づき、ユーザによって入力されたクエリに対する代表キーワードまたはテールキーワードを、ユーザ端末機１３０を介してユーザに提供する。
【００２４】
一例として、ユーザによって入力されたクエリが「ナイキ」であり、ユーザによって選択されたオプションが代表キーワードである場合に、キーワード提供システム２００は、「ナイキ」を代表キーワードとして、ユーザ端末機１３０を介してユーザに提供することができる。
【００２５】
また、他の一例として、ユーザによって入力されたクエリが「ナイキ」であり、ユーザによって選択されたオプションがテールキーワードである場合に、キーワード提供システム２００は、「ナイキ運動靴、ナイキショップ、ナイキ衣類」などをテールキーワードとして、ユーザ端末機１３０を介してユーザに提供することができる。
【００２６】
このように、本発明に係るキーワード提供システム２００は、ユーザにより入力されたクエリに対するキーワード提供範囲をオプションで調節することによって、代表キーワードだけでなくテールキーワードを提供することができる。
【００２７】
したがって、本発明に係るキーワード提供システム２００は、ユーザがテールキーワードを容易に検索できるようにする経路を提供することで、キーワード検索の興味を増加させ、テールキーワードに対してもクリックを増加させることができる。
【００２８】
図２は、本発明の一実施形態に係るキーワード提供システム２００の構成を示した図である。
【００２９】
図２に示すように、キーワード提供システム２００は、入力部２１０と、パターン分析部２２０と、選定部２３０と、データベース２４０と、設定部２５０と、提供部２６０とを含んでいる。
【００３０】
入力部２１０は、ユーザからクエリの入力を受ける。すなわち、入力部２１０は、ユーザから、検索しようとするクエリの入力を受ける。一例として、入力部２１０は、ユーザから「ナイキ」というクエリの入力を受けてもよい。
【００３１】
また、入力部２１０は、ユーザからクエリに対するキーワード提供範囲の入力を受ける。一例として、クエリに対するキーワード提供範囲を調整するためのオプションが含まれている場合に、入力部２１０は、ユーザから調整手段の操作に応じて調整されたキーワード提供範囲の入力を受けることができる。クエリに対するキーワード提供範囲を調整するためのオプションは、図３または図４に示されたように、スライドバー形態で例示された調整バー３１５、４１５によって位置が調整される場合に、入力部２１０は、ユーザによる調整バー３１５、４１５に対する操作に基づいて、調整されたクエリに対するキーワード提供範囲の入力を受けることができる。
【００３２】
一例として、ユーザが代表キーワードの提供を受けようとする場合に、入力部２１０は、ユーザから代表キーワードまたはテールキーワードを選択するためのオプションとして提供される調整バーの位置を代表キーワード側に移動させることによって、代表キーワードが提供されるようにするための、クエリに対するキーワード提供範囲の入力を受けることができる。
【００３３】
また、他の一例として、ユーザがテールキーワードの提供を受けようとする場合に、入力部２１０は、ユーザから代表キーワードまたはテールキーワードを選択するためのオプションとして提供される調整バーの位置をテールキーワード側に移動させることによって、テールキーワードが提供されるようにするための、クエリに対するキーワード提供範囲の入力を受けることができる。
【００３４】
パターン分析部２２０は、ユーザのクエリパターンを分析する。一例として、ユーザが固定ＩＰユーザである場合に、パターン分析部２２０は、固定ＩＰに対するクエリパターンを分析することができる。また、他の一例として、ユーザがログインユーザである場合に、ログインユーザに対するクエリパターンを分析することができる。
【００３５】
選定部２３０は、ユーザのクエリパターンを分析した結果に基づいて、代表キーワードまたはテールキーワードを選定する。一例として、ユーザのクエリパターンを分析した結果、ユーザによって「ナイキ」というクエリが入力された後に「ナイキ運動靴、ナイキショップ、ナイキ衣類」などのようなクエリが入力されているような場合に、選定部２３０は、「ナイキ」を代表キーワードとして選定し、「ナイキ運動靴、ナイキショップ、ナイキ衣類」などをテールキーワードとして選定することができる。
【００３６】
データベース２４０は、ユーザによって入力されたクエリに対応させ、ユーザのクエリパターンを分析した結果によって選定された代表キーワードまたはテールキーワードを記録して保持する。
【００３７】
設定部２５０は、ユーザから入力されたクエリに対するキーワード提供範囲を設定する。すなわち、設定部２５０は、ユーザによって入力されたクエリに対するキーワード提供範囲に対するオプション設定に基づいて、代表キーワードを提供するのかテールキーワードを提供するのかに対するキーワード提供範囲を設定する。
【００３８】
一例として、図３に示されたように、入力されたクエリに対するキーワード提供範囲に対するオプションを設定するために、ユーザによって代表キーワード３２０側に移動した調整バー３１５の位置情報の入力を受けた場合に、設定部２５０は、代表キーワード３２０側に移動した調整バー３１５の位置情報に基づいて、入力されたクエリに対する代表キーワードが提供されるようにキーワード提供範囲を設定することができる。
【００３９】
また、他の一例として、図４に示されたように、入力されたクエリに対するキーワード提供範囲に対するオプションを設定するために、ユーザによってテールキーワード４１０側に移動した調整バー４１５の位置情報の入力を受けた場合に、設定部２５０は、テールキーワード４１０側に移動した調整バー４１５の位置情報に基づいて、入力されたクエリに対するテールキーワードが提供されるようにキーワード提供範囲を設定することができる。
【００４０】
提供部２６０は、キーワード提供範囲に基づいて、クエリに対する代表キーワードまたはテールキーワードを提供する。すなわち、提供部２６０は、設定部２５０によって設定されたキーワード提供範囲に基づいて、データベース２４０からクエリに対する代表キーワードまたはテールキーワードを抽出してユーザに提供する。
【００４１】
一例として、クエリに対する代表キーワードが提供されるようにキーワード提供範囲が設定された場合に、提供部２６０は、データベース２４０からユーザによって入力されたクエリに対応する代表キーワードを抽出してユーザに提供することができる。
【００４２】
また、他の一例として、クエリに対するテールキーワードが提供されるようにキーワード提供範囲が設定された場合に、提供部２６０は、データベース２４０からユーザによって入力されたクエリに対応するテールキーワードを抽出してユーザに提供することができる。
【００４３】
図３は、キーワード提供範囲に対する設定に基づいて提供される代表キーワードの一例を示した図である。
【００４４】
図３を参照すれば、入力部２１０は、ユーザから入力されたキーワードに対する代表キーワードの提供を受けようとする場合に、ユーザによって代表キーワード３２０側に移動された調整バー３１５の位置情報の入力を受ける。この後に、設定部２５０は、代表キーワード３２０側に移動した調整バー３１５の位置情報に基づいて、入力されたクエリに対する代表キーワードが提供されるようにキーワード提供範囲を設定する。この後に、提供部２６０は、代表キーワード提供画面３００を介して、キーワード提供範囲の設定に基づいてクエリに対応する代表キーワードをユーザに提供する。代表キーワード提供画面３００は、ユーザによって「ナイキ」というクエリが入力され、入力されたクエリに対してテールキーワード３１０または代表キーワード３２０を選択するための調整バー３１５の位置がユーザによって代表キーワード３２０側に移動された場合に、ナイキ３３０を代表キーワードとしてユーザに提供する。
【００４５】
このように、本発明に係るキーワード提供システム２００は、ユーザによって、代表キーワードまたはテールキーワードを提供することができるキーワード提供範囲が代表キーワードを提供する範囲として設定されれば、代表キーワードを提供することができる。
【００４６】
図４は、キーワード提供範囲に対する設定に基づいて提供されるテールキーワードの一例を示した図である。
【００４７】
図４を参照すれば、入力部２１０は、ユーザからクエリとして「ナイキ」が入力され、このクエリに対するテールキーワードの提供を受けようとする場合に、ユーザによってテールキーワード４１０側に移動された調整バー４１５の位置情報の入力を受ける。この後に、設定部２５０は、テールキーワード４１０側に移動した調整バー４１５の位置情報に基づいて、入力されたクエリに対するテールキーワードが提供されるようにキーワード提供範囲を設定する。この後に、提供部２６０は、代表キーワード提供画面４００を介して、キーワード提供範囲の設定に基づいて、ユーザによって入力されたクエリに対応するテールキーワードを提供する。テールキーワード提供画面４００は、ユーザによって「ナイキ」というクエリが入力され、入力されたクエリに対してテールキーワード４１０または代表キーワード４２０を選択するための調整バー４１５の位置がユーザによってテールキーワード４１０側に移動された場合に、入力されたクエリに対応するテールキーワードである「ナイキ運動靴４３１、ナイキショップ４３２、ナイキ衣類４３３」を提供する。
【００４８】
なお、入力されたクエリに対する代表キーワードおよびテールキーワードは、例えば、各キーワードの文字列と入力されたクエリの文字列との関連度（検索キーワードとして同時に、あるいは関連して利用される頻度など）に基づいて順位付けされることができる。また、この順位付けは、必ずしも関連度に基づいて行われる必要はなく、例えば、ユーザによって入力されたクエリと、各キーワードとの文字列の一致率などに基づいて行われてもよい。提供部２６０では、例えば、調整バー３１５の位置が代表キーワード３２０側に近いほど、入力されたクエリとの関連度や一致率の順位が高いキーワードを表示させ、調整バー３１５の位置がテールキーワード３１０側に近いほど、入力されたクエリとの関連度や一致率の順位が低いキーワードを表示させることができる。
【００４９】
また、パターン分析部２２０は、入力されたクエリのパターンを分析する際、当該入力されたクエリについての上記関連度や一致率に基づくキーワードの選定を、例えばデータベース２４０等の記憶領域に格納されているログデータ等に基づいて行うことが可能である。このようにしてパターン分析部２２０により選定される各種キーワード（代表キーワード、テールキーワード）は、例えば、データベース２４０等に格納される。
【００５０】
このように、本発明に係るキーワード提供システム２００は、ユーザによって、代表キーワードまたはテールキーワードを提供することができるキーワード提供範囲がテールキーワードを提供する範囲として設定されれば、テールキーワードをユーザに提供することができる。なお、ここでは、代表キーワード提供画面３００およびテールキーワード提供画面４００は、例えばユーザ端末機１３０に通常備わっている不図示のディスプレイ上に表示されるものとする。
【００５１】
したがって、本発明に係るキーワード提供システム２００は、ユーザがテールキーワードを容易に検索できるように経路を提供することで、ユーザのキーワード検索に対する興味を増加させ、テールキーワードによるクリックを促進させることができるため、キーワードに対応する広告を提供するキーワード広告提供社の側面から見れば、キーワード広告に対する広告収益を増大させることができる利点がある。
【００５２】
また、本発明に係るキーワード提供システム２００は、ユーザによって代表キーワードまたはテールキーワードの提供を受けるためのキーワード提供範囲が設定されれば、キーワード提供範囲に基づいて代表キーワードまたはテールキーワードをユーザに提供することができる。
【００５３】
図５は、本発明の他の実施形態に係るキーワード提供方法を説明するためのフローチャートである。
【００５４】
図５に示すように、段階５１０で、キーワード提供システムは、ユーザからクエリの入力を受ける。すなわち、一例として、段階５１０で、キーワード提供システムは、ユーザから「ナイキ」などのクエリの入力を受けることができる。
【００５５】
段階５２０で、キーワード提供システムは、ユーザのクエリパターンを分析する。一例として、ユーザがログインユーザである場合に、段階５２０で、キーワード提供システムは、ログインユーザに対するクエリパターンを分析することができる。また、他の一例として、ユーザが固定ＩＰユーザである場合に、段階５２０で、キーワード提供システムは、固定ＩＰによるクエリパターンを分析することができる。
【００５６】
段階５３０で、キーワード提供システムは、クエリパターンを分析した結果に基づいて、代表キーワードまたはテールキーワードを選定する。すなわち、段階５３０で、キーワード提供システムは、不特定多数のユーザに対するクエリパターンを分析し、クエリに対する代表キーワードまたはテールキーワードを選定することができる。ここで、代表キーワードとは、一般的に多く用いられるキーワードであり、テールキーワードとは、代表キーワードにさらに付加されたキーワードである。
【００５７】
一例として、クエリパターンを分析した結果に基づいて「ナイキ」というクエリが入力された後に、「ナイキ運動靴、ナイキショップ、ナイキ衣類」などのクエリが主に入力された場合に、段階５３０で、キーワード提供システムは、「ナイキ」を代表キーワードとして選定し、「ナイキ運動靴、ナイキショップ、ナイキ衣類」などをテールキーワードとして選定することができる。また、段階５３０で、キーワード提供システムは、ユーザのクエリパターンを分析した結果によるクエリの相関（連関）関係に基づいて、代表キーワードまたはテールキーワードを選定することができる。
【００５８】
段階５４０で、キーワード提供システムは、ユーザからクエリに対するキーワード提供範囲の設定を受ける。すなわち、段階５４０で、キーワード提供システムは、ユーザから代表キーワードまたはテールキーワードを選択するための調整バーの操作入力を受け、調整バーに対する操作入力に基づいて、クエリに対するキーワード提供範囲の設定を受ける。
【００５９】
一例として、図３に示されたように、ユーザから代表キーワードを選択するための調整バー３１５の操作が入力された場合に、段階５４０で、キーワード提供システムは、代表キーワードを選択するためのクエリに対するキーワード提供範囲の設定を受けることができる。
【００６０】
また、他の一例として、図４に示されたように、ユーザからテールキーワードを選択するための調整バー４１５の操作が入力された場合に、段階５４０で、キーワード提供システムは、テールキーワードを選択するためのクエリに対するキーワード提供範囲の設定を受けることができる。
【００６１】
段階５５０で、キーワード提供システムは、キーワード提供範囲に基づいて、クエリに対する代表キーワードまたはテールキーワードをユーザに提供する。すなわち、段階５５０で、キーワード提供システムは、ユーザによるキーワード提供範囲の設定に基づいて、ユーザによって入力されたクエリに対する代表キーワードまたはテールキーワードをユーザに提供する。
【００６２】
一例として、図３に示されたように、ユーザによって代表キーワード３２０側に調整バー３１５の位置が移動されることによって、代表キーワードが提供されるようにキーワード提供範囲が設定された場合に、段階５５０で、キーワード提供システムは、クエリに対する代表キーワードをユーザに提供することができる。
【００６３】
また、他の一例として、図４に示されたように、ユーザによってテールキーワード４１０側に調整バー４１５の位置が移動されることによって、テールキーワードが提供されるようにキーワード提供範囲が設定された場合に、段階５５０で、キーワード提供システムは、クエリに対するテールキーワードをユーザに提供することができる。
【００６４】
このように、本発明に係るキーワード提供方法は、ユーザから入力されたクエリに対するキーワード提供範囲の設定に基づいて、入力されたクエリに対応する代表キーワードまたはテールキーワードをユーザに提供することができる。
【００６５】
したがって、本発明に係るキーワード提供方法は、ユーザがテールキーワードを容易に検索できるようにする経路を提供することで、テールキーワードに対するクリックが増加し、より多くのテールキーワードを広告キーワードとして販売することができるようになる。
【００６６】
なお、本発明に係る方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００６７】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００６８】
【図１】本発明に係るキーワード提供システムとユーザ端末機との連動関係を示した図である。
【図２】本発明の一実施形態に係るキーワード提供システムの構成を示した図である。
【図３】キーワード提供範囲に対する設定に基づいて提供される代表キーワードの一例を示した図である。
【図４】キーワード提供範囲に対する設定に基づいて提供されるテールキーワードの一例を示した図である。
【図５】本発明の他の実施形態に係るキーワード提供方法を説明するための図である。
【符号の説明】
【００６９】
２００：キーワード提供システム
２１０：入力部
２２０：パターン分析部
２３０：選定部
２４０：データベース
２５０：設定部
２６０：提供部
【図１】
2008276769.tif 000003
【図２】
2008276769.tif 000004
【図３】
2008276769.tif 000005
【図４】
2008276769.tif 000006
【図５】
2008276769.tif 000007